(57)【要約】【課題】簡単な構成であって、液体中に固形物を混ぜて攪拌することができるようにした飲料混合材用容器を提供する。【解決手段】飲料の液体中に溶かし込む固体の飲料混合材である砂糖１０と、この砂糖１０を飲料中で攪拌可能な筒状体１２とから成る。筒状体１２は液体に溶解しにくい材質で作られた細長い筒状の容器本体１４と、容器本体１４の外壁に形成された複数の透孔１６を有し、容器本体１４内に砂糖１０を封入して成る。砂糖１０は、容器本体１４内で崩れにくい状態にして封入されている。【選択図】        図１
2004236691.tif 000002
【特許請求の範囲】
【請求項１】
飲料の液体中に溶かし込む固体の飲料混合材と、この固体を上記飲料中で攪拌可能な筒状体とから成り、上記筒状体は液体に溶解しにくい材質で作られた細長い筒状の容器本体と、この容器本体の外壁に形成された複数の透孔とを有し、上記容器本体内に上記飲料混合材を封入したことを特徴とする飲料混合材用容器。
【請求項２】
上記飲料混合材は上記容器本体内で崩れにくい状態にして封入されていることを特徴とする請求項１記載の飲料混合材用容器。
【請求項３】
上記飲料混合材は上記容器本体内に収納され、上記透孔を水溶性の食品薄膜で覆って封入されていることを特徴とする請求項１記載の飲料混合材用容器。
【請求項４】
固形の上記飲料混合材固形物を食品薄膜で包みペレット状にし、このペレットを容器本体内部に挿入し封入したことを特徴とする請求項１記載の飲料混合材用容器。
【請求項５】
上記飲料混合材は、コーヒーのペレットと、砂糖のペレット及びミルクのペレットであり、これらのペレットを同一の上記容器本体内に収め、一本のスティックとしたことを特徴とする請求項１記載の飲料混合材用容器。
【請求項６】
上記飲料混合材は、水溶性の注出成分を含む飲料材であることを特徴とする請求項１記載の飲料混合材用容器。
【発明の詳細な説明】
【０００１】
【発明の属する技術分野】
この発明は、嗜好品飲料や薬品飲料等に固形物を溶かして引用可能とする飲料混合材用容器関する。
【０００２】
【従来の技術】
【特許文献１】特開平８−１９６４０３号公報
【特許文献２】実開平７−２０９３８号公報
一般に、コーヒー、紅茶等を飲むときは、コーヒー等が注がれたコップと、砂糖、ミルクが添えられており、飲む人の好みにより適量と思う量を注ぎ込みスプーンで攪拌してから飲むという手順がある。この時、砂糖のような固形物をコーヒー等に溶かしこむためにはスプーン等の攪拌手段は欠かせないものである。
【０００３】
【発明が解決しようとする課題】
上記従来の場合、砂糖等の固形物、粉末等を液体に溶かす場合、その液体に満遍なく固形物を溶かし込むため、スプーンや棒状のもので攪拌する必要がある。そして、攪拌するためだけにスプーン等を準備することは結構面倒であり、忘れることも多い。特に、屋外で飲む場合、忘れてしまうと攪拌方法が無く、大変不便なものである。また、セルフサービスのドリンクショップにおいても、砂糖とミルクだけ持って、スプーン等の攪拌する器具を忘れ、取りに行きなおすケースもあり大変不便であった。
【０００４】
また、上記特許文献１等の場合、スプーンを用意する必要はないが、中の砂糖等を取り出すために袋を破らなければならず開封に面倒なものであり、また中の砂糖等がコーヒー等に溶けにくく、実用性のないものであった。
【０００５】
この発明は、上記従来の技術の問題点に鑑みてなされたもので、簡単な構成であって、液体中に固形物を混ぜて攪拌することができるようにした飲料混合材用容器を提供することを目的とする。
【０００６】
【課題を解決するための手段】
この発明は、この攪拌時に使用するスプーンや筒状のものを不要とするため、溶かし込む粉末と攪拌可能な筒状のものを一体化させたものである。液体に溶融しにくい材質で作られる細長い筒状の容器本体内部に、砂糖のような溶かす材料を封入したものである。さらに攪拌時に溶融しやすい様に、筒状の容器本体外壁部に複数の穴を設けたものである。
【０００７】
内容物は角砂糖の様に固めて崩れにくい状態にして封入してもよいしても良い。崩れにくくすることが困難な物質の場合は、封入したものが容易こぼれないようにする為に、外側をオブラートの様な食品薄膜で覆うことにより容易に封入物がこぼれない様にする。このオブラート等の食品薄膜は、液体に漬けた時点で溶解し、内容物も溶け出す仕組みである。一般的にオブラートは無色透明、無味、無臭かつ無害な物質のため、オブラートが溶融することによる味や香りに変化を与えない。
【０００８】
この方法はコーヒーや紅茶の様な飲み物の砂糖の溶解には非常に有効であり、さらには、風邪薬のような顆粒状や粉末状をした内服薬商品の提供方法にも利用可能なものである。
【０００９】
また、封入する粉末状や顆粒状の固形物をオブラートで包みペレット状にし、このペレットを容器本体内部に挿入し封入する方法がある。この方法は、複数の種類の内容物を同一容器に収める商品に有効である。例えば、コーヒーのペレット、砂糖のペレットそれとミルクのペレットを同一容器に収めれば、一本のスティックで砂糖とミルク入りのコーヒーが出来上がることになる。
【００１０】
その他、上記飲料混合材は、水溶性の注出成分を含むもので、緑茶、紅茶、ウーロン茶、コーヒー豆、薬剤、ハーブ等の飲料材であってもよい。
【００１１】
【発明の実施の形態】
以下、この発明の実施の形態について、図面に基づいて説明する。図１〜図３は、この発明の第一実施形態の飲料用混合材容器を示す。この実施形態では飲料としてのコーヒー中に砂糖を溶かし込むためのものであり、コーヒーの液体中に溶かし込む粉または顆粒状の結晶等の固体である飲料用混合材の砂糖１０と、この砂糖１０をコーヒー中で攪拌可能な細長い筒状体１２を備える。筒状体１２は液体に溶解しにくいプラスチックスやセラミックス、ガラス等で作られ、大部分を占める容器本体１４と、この容器本体１４の上部に位置した持ち手部１５とからなる。容器本体１４にはその外壁に透孔１６が形成されている。飲料混合材である砂糖１０は、容器本体１４内で崩れないように角砂糖状に固められた状態にして封入されている。
【００１２】
また、飲料混合材は、砂糖１０以外に、粉状のミルクや、顆粒または粉状のコーヒーでも良い。容器本体１２内に収容するものが粉状または顆粒状のままの場合、図３に示すように、透孔１６及び下端開口部２１を、水溶性の食品薄膜、例えばオブラート１８で覆って封入しても良い。また、筒状体１２の上端開口部２０も、図３に示すように、蓋部材２２により閉鎖しても良い。
【００１３】
さらに、固形の飲料混合材をオブラート１８等の食品薄膜で包みペレット状にし、このペレットを容器本体１４の内部に挿入し封入したものでも良い。
【００１４】
固形の飲料混合材は、コーヒーのペレットと、砂糖のペレット及びミルクのペレットを、同一の上記容器本体内に収め、一本のスティックとしたものでも良い。
【００１５】
この実施形態の飲料用混合材容器は、液体に溶かし込む必要のある飲料混合材と一体となっている為、コーヒーや紅茶をお客様に出すときに非常に楽になり、忘れることによるお客様への失態も無くなる。また、筒状の容器本体１４は各種彩色も可能で見た目も良くすることも可能であり、さらに、一度使用すると２度と使用しないので衛生的である。
【００１６】
また、粉末のコーヒー、砂糖とミルク等を混合した状態で本発明のスティック状で製品化すれば、これ一本で攪拌も可能となるので、商品の見栄えも良くなり、新製品の開発や販売に役立つ。コーヒーや紅茶のインスタントセットの砂糖に応用すれば、攪拌するためのスプーンや棒をパーツから無くすことが可能となり、製造工程や包装工程を削減できる。
【００１７】
次に、この発明の第二実施形態について、図４、図５を基にして説明する。この実施形態の飲料用混合材容器は、筒状体１２の上部に蓋部２３と一体の持ち手部２４を備えたものである。持ち手部２４は、筒状体１２の上端開口部２０を覆うもので、砂糖等の内容物がこぼれないようにしている。また、図５に示すように、砂糖等の内容物がオブラート１８で包まれている場合、その包まれた飲料混合材が筒状体１２の下端開口部２１から抜け落ちないように下端開口部２１の周縁部に突起２６を設けても良い。
【００１８】
この実施形態によっても上記と同様の効果を得ることができる。
【００１９】
また、この発明の飲料用混合材容器は、粉末状や顆粒状の薬や健康食品についても、水に溶かしたりする場合、顆粒状の薬品を本発明の状態のスティック状にしておくことにより、汚れの無い状態での攪拌が可能となるので衛生的である。さらに従来型の提供方法とは全く異なる形状でスティック砂糖等の製品化が可能となるので、これも販売増進に多いに役立つ。
【００２０】
この発明の飲料用混合材容器は、薬品等に利用することも可能であり、その場合は容器本体側面に意事項等の文字の印刷も可能である。そのほか、上記飲料混合材は、水溶性の注出成分を含む飲料材で、緑茶、紅茶、ウーロン茶、コーヒー豆、薬剤、ハーブ等の飲料材であってもよく、インスタントのスープ、調味料といった液体に抽出したり、溶かすことを必要とする商品に幅広く活用できる。
【００２１】
筒状の形状も、断面が円形である必要は無く、楕円形や、多角形でも良い。後者の方が攪拌時の摩擦は多く攪拌効率が高くなる。また、飲料用混合材は、液体を透過する布や紙に包んだものでも良く、容器本体をこのような布や紙に包んだものでも良い。
【００２２】
容器本体に設ける穴の形状は丸でも四角でも良く、容器本体を網目状にしたものでも良い。網目状にした場合は、溶融しにくい物質を封入する場合に有効である。また、固めにくい物質を封入する場合に上からこぼれない様にする蓋は、容器本体との一体型でも良いが、外壁の穴等を塞ぐ時に使用するオブラートで蓋をする様な構造や、キャップ状のもので蓋をする方法でも良い。
【００２３】
溶融させる粉末の量は、容器本体の大きさや長さを変えたものを作ることにより変化させたものを作ることができ、使用する側から見ると、攪拌時間を短くすることにより、溶融させる量を調整することも可能である。
【００２４】
持ち手部分も、平たく潰した形状にすれば持ちやすくかつ攪拌しやすくなる。この部分を容器本体の持ち手部をすっぽり覆うキャップ状にして蓋の役割を担わせても良い。この方法は内容物を封入しやすくする方法の一つとして有効である。
【００２５】
容器本体に使用する材質は、ストロー等で使用されている材質のように、容易に液体に溶解せず、人体に無害なプラスティック等を使用し、本体の厚さも薄ければ薄いほど全体の大きさを小さくできるので良い。ただし、あまり薄くして、攪拌時に折れ曲がってしまう様な肉厚では駄目である。約１ｍｍ程度の厚さが最も良い。
【００２６】
【発明の効果】
この発明の本発明は、液体に溶かし込む必要のある飲料用混合材と攪拌のための棒状体が一体となっている為、コーヒーや紅茶等をお客様に出すときに非常に楽になり、忘れることによるお客様への失態も無くなる。さらに、筒状体の外部は各種彩色も可能であり、外観意匠も良好なものとすることができる。さらに、薬品等に利用する場合は注意事項等の文字の印刷も可能である。また、一度使用すると２度と使用しないので衛生的である。粉末状や顆粒状の薬や健康食品についても、水に溶かしたりする場合、顆粒状の薬品を本発明の状態のスティック状にしておくことにより、汚れの無い状態での攪拌が可能となるので衛生的である。
【図面の簡単な説明】
【図１】この発明の第一実施形態の飲料混合材用容器を示す斜視図である。
【図２】この実施形態の飲料混合材用容器を模式的に示す縦断面図である。
【図３】この実施形態の他の飲料混合材用容器を模式的に示す縦断面図である。
【図４】この発明の第二実施形態の飲料混合材用容器を模式的に示す縦断面図である。
【図５】この実施形態の他の飲料混合材用容器を模式的に示す縦断面図である。
【符号の説明】
１０  砂糖
１２  筒状体
１４  容器本体
１６  透孔
１８  オブラート
【図１】
2004236691.tif 000003
【図２】
2004236691.tif 000004
【図３】
2004236691.tif 000005
【図４】
2004236691.tif 000006
【図５】
2004236691.tif 000007